(57)【要約】【課題】基板上に複数の部品を実装した半導体装置の電気的特性を向上させるとともに、パッケージの小型化を実現する。【解決手段】半導体チップ１と電子部品２が並べて配置された半導体装置であって、半導体チップ１と電子部品２の側面にそれぞれ端子を設け、半導体チップ１と電子部品２の側面を近接させた状態で端子同士を電気的に接続した。これにより、半導体装置の全体を小型化することができ、かつ配線経路を大幅に短縮して電気特性を向上させることが可能となる。【選択図】　　　　図１
2004031432.tif 000002
【特許請求の範囲】
【請求項１】
複数のチップ部品が並べて配置された半導体装置であって、
少なくとも２つの前記チップ部品の側面にそれぞれ端子が設けられ、
隣接する前記チップ部品の側面が近接した状態で前記端子同士が電気的に接続されていることを特徴とする半導体装置。
【請求項２】
前記チップ部品の少なくとも１つは、その上面に形成された電極パッドを有し、
前記電極パッドと前記端子を接続する配線パターンが設けられたことを特徴とする請求項１記載の半導体装置。
【請求項３】
前記電極パッド上から前記チップ部品の側面の所定領域に貼り付けられ、所定の導電パターンが形成された接着テープを更に備え、
前記チップ部品の側面に設けられた端子及び前記配線パターンが前記接着テープの前記導電パターンから構成されていることを特徴とする請求項２記載の半導体装置。
【請求項４】
複数のチップ部品が並べて配置された半導体装置であって、
少なくとも２つの前記チップ部品の上面にそれぞれ形成された電極パッドと、
前記チップ部品の前記電極パッド上に貼り付けられ、所定の導電パターンが形成された接着テープとを備え、
前記導電パターンによって前記チップ部品同士が電気的に接続されていることを特徴とする半導体装置。
【請求項５】
電気的に接続された前記少なくとも２つのチップ部品上に別のチップ部品が載置されていることを特徴とする請求項１〜４のいずれかに記載の半導体装置。
【発明の詳細な説明】
【０００１】
【発明の属する技術分野】
この発明は半導体装置に関し、特に複数のチップ部品が並べて配置された半導体装置に適用して好適である。
【０００２】
【従来の技術】
近時においては、半導体チップを高密度に実装するため、実装基板上に複数のチップを搭載した半導体装置（マルチチップパッケージ）が広く用いられている。
【０００３】
図１１は、実装基板１０１上に半導体チップ１０２、半導体チップ１０３及びコンデンサなどのチップ部品１０４を平面置きして実装した半導体装置を示す斜視図である。また、図１２は図１１の半導体装置を示す側面図である。図１１及び図１２に示すように、半導体チップ１０２、半導体チップ１０３のそれぞれは実装基板１０１に対して金ワイヤ１０５で電気的に接続されている。また、半導体チップ１０２と半導体チップ１０３は、両チップ上面の電極パッド同士を金ワイヤ１０５で接続することによって電気的に接続されている。
【０００４】
【発明が解決しようとする課題】
しかしながら、図１１及び図１２に示す半導体装置では、半導体チップ１０２と半導体チップ１０３を金ワイヤ１０５を用いて接続しているため、両チップを接続する配線の経路が必然的に長くなるという問題が生じていた。
【０００５】
また、半導体チップ１０２と半導体チップ１０３を金ワイヤ１０５で接続するためには、両チップを所定距離以上離して配置する必要があり、その結果、配線経路が長くなるという問題が生じていた。
【０００６】
チップ部品１０４についても、組立上の制約から半導体チップ１０２，１０３から離間させて配置する必要があり、チップ部品１０４と半導体チップ１０２，１０３の間の配線パターンの経路が長くなるという問題が生じていた。そして、半導体チップ１０２，１０３及びチップ部品１０４を相互に離間させる必要があるため、これらの部品の周囲に配置される実装基板１０１上の配線パターンの経路も長くなるという問題が生じていた。
【０００７】
そして、このような配線経路長の増大は、半導体装置の電気的特性の劣化、半導体装置のパッケージサイズの大型化という問題を招来していた。
【０００８】
この発明は上述のような問題を解決するために成されたもので、基板上に複数の部品を実装した半導体装置の電気的特性を向上させるとともに、パッケージの小型化を実現することを目的とする。
【０００９】
【課題を解決するための手段】
この発明の半導体装置は、複数のチップ部品が並べて配置された半導体装置であって、少なくとも２つの前記チップ部品の側面にそれぞれ端子が設けられ、隣接する前記チップ部品の側面が近接した状態で前記端子同士が電気的に接続されているものである。
【００１０】
また、前記チップ部品の少なくとも１つは、その上面に形成された電極パッドを有し、前記電極パッドと前記端子を接続する配線パターンが設けられたものである。
【００１１】
また、前記電極パッド上から前記チップ部品の側面の所定領域に貼り付けられ、所定の導電パターンが形成された接着テープを更に備え、前記チップ部品の側面に設けられた端子及び前記配線パターンが前記接着テープの前記導電パターンから構成されているものである。
【００１２】
また、この発明の半導体装置は、複数のチップ部品が並べて配置された半導体装置であって、少なくとも２つの前記チップ部品の上面にそれぞれ形成された電極パッドと、前記チップ部品の前記電極パッド上に貼り付けられ、所定の導電パターンが形成された接着テープとを備え、前記導電パターンによって前記チップ部品同士が電気的に接続されているものである。
【００１３】
また、電気的に接続された前記少なくとも２つのチップ部品上に別のチップ部品が載置されているものである。
【００１４】
【発明の実施の形態】
実施の形態１．
図１は、この発明の実施の形態１にかかる半導体装置を示す模式図である。この半導体装置は、半導体チップ１と電子部品２を有して構成されており、半導体チップ１の側面１ｂに電子部品２が固着されている。電子部品２は例えばチップ抵抗、チップコンデンサなどの部品である。
【００１５】
図２は、電子部品２を装着する前の状態の半導体チップ１を示す斜視図である。図２に示すように、半導体チップ１の上面１ａには複数の電極パッド３が形成されており、側面１ｂには複数の側面端子４が形成されている。電極パッド３と側面端子４は、配線パターン５を介してそれぞれ電気的に接続されている。配線パターン５は電極パッド３及び側面端子４と一体のパターンとして半導体チップ１上に形成しても良いし、別部材から構成しても良い。また、電子部品２の側面には、側面端子４に対応する位置に複数の端子（不図示）が設けられている。図１に示す状態では、側面端子４と電子部品２の端子がそれぞれ当接して接続され、半導体チップ１と電子部品２が電気的に接続されている。半導体チップ１と電子部品２の接続はリフローなどの方法で行なうことができる。
【００１６】
このように、半導体チップ１の側面１ｂに電子部品２を配置し、側面端子４と電子部品２の端子を直接的に接続することで、半導体チップ１と電子部品２を含めた全体のサイズを縮小することが可能となり、半導体装置の大幅な小型化を達成することが可能となる。
【００１７】
また、半導体チップ１に対して電子部品２を直接接続するため、金ワイヤ、実装基板の配線パターンなどを介して接続する場合と比べて、配線の経路を大幅に短縮することができる。従って、半導体装置の電気特性を向上させることが可能となる。
【００１８】
実施の形態２．
図３〜図６は、この発明の実施の形態２を示す模式図である。実施の形態２は、側面端子４が設けられていない半導体チップ１’に接着テープ６を貼り付け、接着テープ６に形成した導電パターンにより実施の形態１の側面端子を設けたものである。そして、導電パターンによって設けた側面端子に実施の形態１の電子部品を取り付けたものである。
【００１９】
図３は、接着テープ６が貼り付けられる半導体チップ１’を示す模式図である。図１の半導体チップ１と同様、半導体チップ１’の上面１ａには複数の電極パッド３が形成されている。一方、半導体チップ１’は側面端子４、配線パターン５を備えていない点で図１の半導体チップ１と相違する。
【００２０】
図４は、接着テープ６の表面側を示す平面図である。また、図５は、接着テープ６の裏面側を示す平面図である。図４に示すように、接着テープ６の表面側には電子部品２の側面に設けられた端子と接続される端子７が形成されている。また、接着テープ６の裏面側には、半導体チップ１’の電極パッド３の位置とそれぞれ対応する端子８が形成されており、端子７と端子８は導電パターン９を介して電気的に接続されている。接着テープ６の裏面側には接着剤が塗布されている。
【００２１】
図６は、半導体チップ１’に接着テープ６を貼り付けた状態を示す模式図である。接着テープ６は、電極パッド３の位置に端子８の位置を合致させた状態で半導体チップ１’の上面１ａに貼り付けられ、電極パッド３と端子８のそれぞれが当接して電気的に接続される。そして、接着テープ６の端子７側が折り返されて半導体チップ１’の側面１ｂへ貼り付けられる。
【００２２】
このように、半導体チップ１’に接着テープ６を貼り付けることによって、電極パッド３と電気的に接続された端子７を半導体チップ１’の側面１ｂに設けることができ、端子７は実施の形態１における側面端子４と同様の機能を果たす。これにより、側面端子４が設けられていない半導体チップであっても、接着テープ６を貼り付けることによって容易かつ低コストで側面端子を設けることが可能となる。そして、端子７上に電子部品２を固着することで、実施の形態１と同様に半導体チップの側面に電子部品２を直接配置することが可能となる。
【００２３】
実施の形態３．
図７は、この発明の実施の形態３を示す模式図である。実施の形態３は、実施の形態１の半導体チップ１と半導体チップ１と同様の半導体チップ１８とを、側面同士を近接させた状態で電気的に接続したものである。
【００２４】
図７に示すように、半導体チップ１と半導体チップ１８は実装基板１０上に実装されており、側面同士を近接させた状態で電気的に接続されている。半導体チップ１と半導体チップ１８は金ワイヤ１１を介して実装基板１０と電気的に接続されている。半導体チップ１，１８の双方の側面に実施の形態１，２で説明した側面端子をそれぞれ設けておくことで、側面端子を介して両チップを電気的に接続することが可能となる。
【００２５】
これにより、半導体チップ１と半導体チップ１８を金ワイヤで接続する必要がなくなり、半導体チップ１と半導体チップ１８の間の配線長を大幅に短縮することができる。また、実装基板１０との接続においても、ワイヤボンディングを必要最小限に抑えることができ、チップ同士の接続を容易に行なうことが可能となる。更に、半導体チップ１と半導体チップ１８を近接させることで、半導体チップ１と半導体チップ１８の周囲に形成される実装基板１０上の配線パターンの経路を短縮することができる。これにより、半導体装置の大幅な小型化を達成することができ、かつ電気特性を向上させることが可能となる。
【００２６】
実施の形態４．
図８及び図９は、この発明の実施の形態４を示す模式図である。実施の形態４は、実施の形態３における半導体チップ１と半導体チップ１８の電気的接続を接着テープ１２によって行なうものである。
【００２７】
図８は、接着テープ１２を用いて半導体チップ１と半導体チップ１８を接続した状態を示す平面図である。実施の形態１と同様、半導体チップ１の表面１ａには電極パッド３が設けられ、また半導体チップ１８の表面にも電極パッドが設けられている。
【００２８】
図９は、接着テープ１２の裏面側を示す平面図である。図８に示すように、接着テープ１２の裏面には２対の端子１３，１４が形成され、端子１３，１４は間に形成された導電パターン１５によって電気的に接続されている。端子１３，１４は、半導体チップ１上面の電極パッド３及び半導体チップ１８上面の電極パッドのそれぞれに対応する位置に形成されている。
【００２９】
そして、接着テープ１２の端子１３，１４の位置と半導体チップ１，１８上面の電極パッドの位置を合わせ、図８に示すように接着テープ１２の裏面側を半導体チップ１及び半導体チップ１８の上面に貼り付けることで、半導体チップ１と半導体チップ１８の電極パッド同士を相互に接続することが可能となる。
【００３０】
これにより、半導体チップ１と半導体チップ１８の上面に接着テープ１２を貼り付けるだけで両チップ同士を接続することができ、実施の形態３の構造を容易に実現することが可能となる。また、接着テープ１２を用いることによって側面端子を設けることなくチップ同士を接続することができるため、各半導体チップの構成を簡素化してコストを低減することができる。
【００３１】
実施の形態５．
図１０は、この発明の実施の形態５を示す模式図である。実施の形態５は、実施の形態３，４と同様に半導体チップ１と半導体チップ１８の側面同士を近接させて電気的に接続し、更に半導体チップ１及び半導体チップ１８上に半導体チップ１６を搭載したものである。半導体チップ１６と半導体チップ１，１８の電気的接続は金ワイヤ１１で行なう。
【００３２】
実施の形態３，４で説明したように、半導体チップ１と半導体チップ１８の側面同士を近接させて電気的に接続することによって、半導体チップ１及び半導体チップ１８上に更に半導体チップ１６を実装することが可能となる。これにより、省スペースで多数の半導体チップを実装することが可能となり、半導体装置の大幅な小型化を達成するとともに、配線経路を格段に短縮することが可能となる。
【００３３】
【発明の効果】
この発明は、以上説明したように構成されているので、以下に示すような効果を奏する。
【００３４】
チップ部品の側面の端子同士を電気的に接続したため、チップ部品を含めた半導体装置の全体を小型化することができる。また、チップ部品同士の電気的接続に金ワイヤなどの配線を必要としないため、配線の経路を大幅に短縮することができ、半導体装置の電気特性を向上させることができる。
【００３５】
チップ部品の上面の電極パッドと側面の端子とを接続する配線パターンを設けたため、配線パターンを介して電極パッドを側面に引き出すことができる。
【００３６】
所定の導電パターンが形成された接着テープを電極パッド上からチップ部品の側面に貼り付けることで、チップ部品の側面に端子を設けることができる。
【００３７】
所定の導電パターンが形成された接着テープを、チップ部品の電極パッド上に貼り付けることにより、チップ部品同士を電気的に接続することが可能となる。
【００３８】
電気的に接続された少なくとも２つのチップ部品上に別のチップ部品を載置することにより、半導体装置の平面的な大きさを拡大させることなく多数の部品を実装することが可能となる。
【図面の簡単な説明】
【図１】この発明の実施の形態１にかかる半導体装置を示す模式図である。
【図２】電子部品を装着する前の状態の半導体チップを示す斜視図である。
【図３】この発明の実施の形態２において、接着テープが貼り付けられる半導体チップを示す模式図である。
【図４】実施の形態２にかかる接着テープの表面側を示す平面図である。
【図５】実施の形態２にかかる接着テープの裏面側を示す平面図である。
【図６】半導体チップに接着テープを貼り付けた状態を示す模式図である。
【図７】この発明の実施の形態３にかかる半導体装置を示す模式図である。
【図８】この発明の実施の形態４にかかる半導体装置を示す模式図である。
【図９】実施の形態４にかかる接着テープの裏面側を示す平面図である。
【図１０】この発明の実施の形態５にかかる半導体装置を示す模式図である。
【図１１】従来の半導体装置を示す斜視図である。
【図１２】従来の半導体装置を示す側面図である。
【符号の説明】
１，１’，１６，１８　半導体チップ、　２　電子部品、　３　電極パッド、４　側面端子、　５　配線パターン、　６，１２　接着テープ、　７，８，１３，１４　端子、　９，１５　導電パターン、　１０　実装基板、　１１　金ワイヤ。
【図１】
2004031432.tif 000003
【図２】
2004031432.tif 000004
【図３】
2004031432.tif 000005
【図４】
2004031432.tif 000006
【図５】
2004031432.tif 000007
【図６】
2004031432.tif 000008
【図７】
2004031432.tif 000009
【図８】
2004031432.tif 000010
【図９】
2004031432.tif 000011
【図１０】
2004031432.tif 000012
【図１１】
2004031432.tif 000013
【図１２】
2004031432.tif 000014